(57)【要約】【課題】長尺方向の端部における光量の低下を防止する。【解決手段】照明装置１は、複数の光源１５が長尺方向に並べて設けられている第１の基板１１と第２の基板１２の長尺方向の端面１１１どうしが対向して設けられている第１の長尺光源部１０１と、複数の光源１５が長尺方向に並べて設けられている第３の基板１３と第４の基板１４の長尺方向の端面１１１どうしが対向して設けられている第２の長尺光源部１０２とを有し、第１の長尺光源部１０１と前記第２の長尺光源部１０２とは短尺方向に並べて設けられており、第１の長尺光源部１０１の複数の光源１５と第２の長尺光源部１０２の複数の光源１５とは、第１の長尺光源部１０１と第２の長尺光源部１０２の長尺方向に互いにずれた位置に位置している。【選択図】図１
2018207234.tif 000002
【特許請求の範囲】
【請求項１】
長尺形状を有しており複数の光源が長尺方向に並べて設けられている第１の基板と第２の基板を有し、前記第１の基板と前記第２の基板の長尺方向の端面どうしが対向して設けられている第１の長尺光源部と、
長尺形状を有しており複数の光源が長尺方向に並べて設けられている第３の基板と第４の基板を有し、前記第３の基板と前記第４の基板の長尺方向の端面どうしが対向して設けられている第２の長尺光源部と、
を有し、
前記第１の長尺光源部と前記第２の長尺光源部は短尺方向に並べて設けられており、
前記第１の長尺光源部の前記複数の光源と前記第２の長尺光源部の前記複数の光源は、前記第１の長尺光源部と前記第２の長尺光源部の長尺方向に互いにずれた位置に位置していることを特徴とする照明装置。
【請求項２】
前記第１の長尺光源部の前記複数の光源のうちの長尺方向の一方の端部に設けられている一部の光源どうしの間隔と他の一方の端部に設けられている他の一部の光源どうしの間隔は、前記一部の光源と前記他の一部の光源以外の光源どうしの間隔と異なっていることを特徴とする請求項１に記載の照明装置。
【請求項３】
前記第１の長尺光源部の前記一方の端部に設けられ前記一部の光源と前記他の一部の光源以外の光源どうしの間隔と異なっている前記一部の光源と、前記第１の長尺光源部の前記他方の端部に設けられ前記一部の光源と前記他の一部の光源以外の光源どうしの間隔と異なっている前記他の一部の光源とは、互いに数が異なることを特徴とする請求項２に記載の照明装置。
【請求項４】
前記第２の長尺光源部の前記複数の光源のうちの長尺方向の一方の端部に設けられている一部の光源どうしの間隔と他の一方の端部に設けられている他の一部の光源どうしの間隔は、前記一部の光源と前記他の一部の光源以外の光源どうしの間隔と異なっていることを特徴とする請求項１から３のいずれか１項に記載の照明装置。
【請求項５】
前記第２の長尺光源部の前記一方の端部に設けられる前記一部の光源と、前記第２の長尺光源部の前記他方の端部に設けられる前記他の一部の光源とは、互いに数が異なっており、
前記第２の長尺光源部の前記一方の端部に設けられ前記一部の光源と前記他の一部の光源以外の光源どうしの間隔と異なっている光源の数は、
前記第１の長尺光源部の長尺方向の前記一方の端部と前記他の一方の端部に設けられ前記一部の光源と前記他の一部の光源以外の光源どうしの間隔と異なっている前記一部の光源と前記他の一部の光源のうち、前記第２の長尺光源部の前記一方の端部と同じ側の長尺方向の端部に設けられる光源の数と異なっており、前記第２の長尺光源部の前記一方の端部と反対側の長尺方向の端部に設けられる光源の数と同じであることを特徴とする請求項４に記載の照明装置。
【請求項６】
前記第１の長尺光源部の前記一部の光源と前記第２の長尺光源部の前記一部の光源とは、前記第１の長尺光源部と前記第２の長尺光源部の長尺方向に互いにずれていることを特徴とする請求項１から５のいずれか１項に記載の照明装置。
【請求項７】
請求項１から６のいずれか１項に記載の照明装置と、
前記照明装置の前記第１の長尺光源部と前記第２の長尺光源部の間に設けられる集光部材およびセンサと、
を有することを特徴とするセンサユニット。
【請求項８】
前記センサは、読取対象物が前記照明装置から出射された光に応じて発した光を受光することを特徴とする請求項７に記載のセンサユニット。
【請求項９】
前記センサは、前記照明装置から出射されて読取対象物で反射した光を受光することを特徴とする請求項７に記載のセンサユニット。
【発明の詳細な説明】
【技術分野】
【０００１】
本発明は、照明装置およびセンサユニットに関する。特には、複数の光源が設けられている基板を複数有する照明装置およびセンサユニットに関する。
【背景技術】
【０００２】
照明装置やセンサユニットには、複数のＬＥＤなどの光源が並べて設けられた基板を有するものがある。特許文献１には、形状と大きさが同じであり、複数のＬＥＤが直線状に並べて設けられている２枚の基板を有するイメージセンサユニットが開示されている。そして、読取領域内外でＬＥＤの間隔が異なる構成が図示されている。また、特許文献２には、同じ寸法の長方形の２枚のＬＥＤ基板を有する照明装置が開示されている。そして、ＬＥＤ素子が、ＬＥＤ基板の長尺方向における中央部よりも端部において高い密度で配置されている構成が開示されている。
【先行技術文献】
【特許文献】
【０００３】
【特許文献１】特開２００９−２４６６６３号公報
【特許文献２】特開２０１５−５３１９０号公報
【発明の概要】
【発明が解決しようとする課題】
【０００４】
このような照明装置やセンサユニットにおいて、長尺方向の端部における光量の低下を防止したいという要望がある。本発明は、このような観点からなされたものであり、長尺方向の端部における光量の低下を防止することを課題とする。
【課題を解決するための手段】
【０００５】
上述の課題を解決するため、本発明は、長尺形状を有しており複数の光源が長尺方向に並べて設けられている第１の基板と第２の基板を有し、前記第１の基板と前記第２の基板の長尺方向の端面どうしが対向して設けられている第１の長尺光源部と、長尺形状を有しており複数の光源が長尺方向に並べて設けられている第３の基板と第４の基板を有し、前記第３の基板と前記第４の基板の長尺方向の端面どうしが対向して設けられている第２の長尺光源部と、を有し、前記第１の長尺光源部と前記第２の長尺光源部は短尺方向に並べて設けられており、前記第１の長尺光源部の前記複数の光源と前記第２の長尺光源部の前記複数の光源は、前記第１の長尺光源部と前記第２の長尺光源部の長尺方向に互いにずれた位置に位置していることを特徴とする。
【発明の効果】
【０００６】
本発明によれば、長尺方向の端部における光量の低下を防止できる。
【図面の簡単な説明】
【０００７】
【図１】図１は、照明装置の要部の構成例を模式的に示す図である。
【図２】図２は、イメージセンサユニットの構成例を模式的に示す図である。
【図３】図３は、イメージセンサユニットの構成例を模式的に示す図である。
【図４】図４は、実施例と比較例を示すグラフである。
【発明を実施するための形態】
【０００８】
以下に、本発明の実施形態について、図面を参照して詳細に説明する。
【０００９】
（照明装置）
図１は、本発明の実施形態に係る照明装置１の要部の構成例を模式的に示す図である。図１に示すように、照明装置１は、いずれも長尺形状である第１の長尺光源部１０１と第２の長尺光源部１０２を有する。第１の長尺光源部１０１は、いずれも長尺形状の第１の基板１１と第２の基板１２を有する。第２の長尺光源部１０２は、いずれも長尺形状の第３の基板１３と第４の基板１４を有する。第１の長尺光源部１０１においては、第１の基板１１と第２の基板１２が、それぞれ長尺方向（longitudinal direction）の端面１１１どうしが対向する向きで直線状に並べて配置されている。第２の長尺光源部１０２においては、第３の基板１３と第４の基板１４が、それぞれ長尺方向の端面１１１どうしが対向する向きで直線状に並べて配置されている。そして、第１の長尺光源部１０１と第２の長尺光源部１０２とは、それらの長尺方向が平行となるように、短尺方向（short direction）に並べて配置されている。なお、第１の長尺光源部１０１の第１の基板１１と第２の長尺光源部１０２の第４の基板１４は、照明装置１の長尺方向の反対側に位置する。第１の長尺光源部１０１の第２の基板１２と第２の長尺光源部１０２の第３の基板１３は、照明装置１の長尺方向の反対側に位置する。
【００１０】
第１〜第４の基板１１〜１４は、いずれも長尺形状を有している。そして、第１〜第４の基板１１〜１４の表面には、それぞれ、複数の光源１５が長尺方向に並べて設けられている。これらの複数の光源１５には、例えばＬＥＤが適用できる。ただし、複数の光源１５はＬＥＤに限定されない。これらの複数の光源１５には、公知の各種発光素子が適用できる。また、第１〜第４の基板１１〜１４に設けられる光源１５の数は特に限定されるものではない。さらに、図１においては、第１〜第４の基板１１〜１４のそれぞれにおいて、複数の光源１５が長尺方向に直線状に並べて設けられる構成を示すが、このような構成に限定されない。例えば、複数の光源１５が、ジグザグ状に短尺方向に互いにずれて配置されていてもよい。
【００１１】
第１の長尺光源部１０１において、第１の基板１１に設けられる複数の光源１５どうしの長尺方向の間隔は、第２の基板１２から遠い側の長尺方向の端部に位置する一部（ただし複数）の光源１５とそれ以外の部分に位置する他の光源１５とで互いに異なる。説明の便宜上、第２の基板１２から遠い側の長尺方向の端部以外の部分に位置する光源１５どうしの長尺方向の間隔を「第１の間隔Ａ」と称し、第２の基板１２から遠い側の長尺方向の端部に位置する一部の光源１５どうしの間隔を「第２の間隔Ｂ」と称する。第２の基板１２に設けられる複数の光源１５どうしの長尺方向の間隔は、第１の基板１１から遠い側の長尺方向の端部に位置する一部の光源１５とそれ以外の光源１５とで互いに異なる。第１の基板１１から遠い側の長尺方向の端部以外の部分に位置する光源１５どうしの長尺方向の間隔を「第１の間隔Ａ」と称し、第１の基板１１から遠い側の長尺方向の端部に位置する一部の光源１５どうしの間隔を「第２の間隔Ｂ」と称する。第１の基板１１と第２の基板１２とで、第１の間隔Ａの大きさは同じである。同様に、第１の基板１１と第２の基板１２とで、第２の間隔Ｂの大きさは同じである。そして、第２の間隔Ｂは第１の間隔Ａよりも小さい。例えば、第２の間隔Ｂは第１の間隔Ａの１／２の大きさが適用される。ただし、具体的な大きさは限定されない。
【００１２】
第１の基板１１の第２の基板１２から遠い側の長尺方向の端部に設けられ、互いの長尺方向の間隔が第２の間隔Ｂである光源１５の数と、第２の基板１２の第１の基板１１から遠い側の長尺方向の端部に設けられ、互いの長尺方向の間隔が第２の間隔Ｂである光源１５の数とは、互いに相違する。図１には、第１の基板１１には互いの長尺方向の間隔が第２の間隔Ｂである光源１５が３つ設けられ、第２の基板１２に互いの長尺方向の間隔が第２の間隔Ｂである光源１５が２つ設けられる例を示す。ただし、具体的な数は限定されない。
【００１３】
また、図１に示すように、第１の基板１１に設けられ第２の基板１２に近接する側の最も端に位置する光源１５と、第２の基板１２に設けられ第１の基板１１に近接する側の最も端に位置する光源１５との長尺方向の間隔は、第１の間隔Ａと同じである。このため、第１の基板１１に設けられ第２の基板１２に近接する側の最も端に位置する光源１５から第１の基板１１の長尺方向の端面１１１（第２の基板１２に対向する側の端面１１１）までの距離Ｃは、第１の間隔Ａより小さい。同様に、第２の基板１２に設けられ第１の基板１１に近接する側の最も端に位置する光源１５から第２の基板１２の長尺方向の端面１１１（第１の基板１１に対向する側の端面１１１）までの距離Ｄも、第１の間隔Ａより小さい。
【００１４】
したがって、第１の長尺光源部１０１には、複数の光源１５が、長尺方向の両端部を除いては第１の間隔Ａで長尺方向に等間隔に並べて設けられる。そして、長尺方向の両端部においては、複数の光源１５が、第１の間隔Ａよりも小さい第２の間隔Ｂで長尺方向に並べて設けられる。また、第１の長尺光源部１０１の長尺方向の一方の端部と他方の端部とで、第２の間隔Ｂで設けられる光源１５の数が相違する。
【００１５】
第２の長尺光源部１０２において、第３の基板１３に設けられる複数の光源１５どうしの長尺方向の間隔は、第４の基板１４から遠い側の長尺方向の端部に位置する一部の光源１５とそれ以外の部分に位置する光源１５とで互いに異なる。第１の長尺光源部１０１と同様に、第４の基板１４から遠い側の長尺方向の端部以外の部分に位置する光源１５どうしの長尺方向の間隔を「第１の間隔Ａ」と称し、第４の基板１４から遠い側の長尺方向の端部に位置する一部の光源１５どうしの間隔を「第２の間隔Ｂ」と称する。第４の基板１４に設けられる複数の光源１５どうしの長尺方向の間隔は、第３の基板１３から遠い側の長尺方向の端部に位置する一部の光源１５とそれ以外の部分に位置する光源１５とで互いに異なる。第３の基板１３から遠い側の長尺方向の端部以外の部分に位置する光源１５どうしの長尺方向の間隔を「第１の間隔Ａ」と称し、第３の基板１３から遠い側の長尺方向の端部に位置する一部の光源１５どうしの間隔を「第２の間隔Ｂ」と称する。第３の基板１３と第４の基板１４とで、第１の間隔Ａの大きさは同じである。同様に、第３の基板１３と第４の基板１４とで、第２の間隔Ｂの大きさは同じである。そして、第３の基板１３と第４の基板１４においても、第２の間隔Ｂは第１の間隔Ａよりも小さい。また、第３の基板１３と第４の基板１４の第１の間隔Ａの大きさは、第１の基板１１と第２の基板１２の第１の間隔Ａと同じである。同様に、第３の基板１３と第４の基板１４の第２の間隔Ｂの大きさは、第１の基板１１と第２の基板１２の第２の間隔Ｂと同じである。
【００１６】
また、図１に示すように、第３の基板１３に設けられ第４の基板１４に近接する側の最も端に位置する光源１５と、第４の基板１４に設けられ第３の基板１３に近接する側の最も端に位置する光源１５との長尺方向の間隔は、第１の間隔Ａと同じである。このため、第４の基板１４に設けられ第３の基板１３に近接する側の最も端に位置する光源１５から第４の基板１４の長尺方向の端面１１１（第３の基板１３に対向する側の端面１１１）までの距離Ｃは、第１の間隔Ａより小さい。同様に、第３の基板１３に設けられ第４の基板１４に近接する側の最も端に位置する光源１５から第３の基板１３の長尺方向の端面１１１（第４の基板１４に対向する側の端面１１１）までの距離Ｄも、第１の間隔Ａより小さい。
【００１７】
第２の長尺光源部１０２において、第３の基板１３の第４の基板１４から遠い側の長尺方向の端部に設けられ、互いの長尺方向の間隔が第２の間隔Ｂである光源１５の数と、第４の基板１４の第３の基板１３から遠い側の長尺方向の端部に設けられ、互いの長尺方向の間隔が第２の間隔Ｂである光源１５の数とは、互いに相違する。図１には、第３の基板１３には互いの長尺方向の間隔が第２の間隔Ｂである光源１５が２つ設けられ、第４の基板１４には互いの長尺方向の間隔が第２の間隔Ｂである光源１５が３つ設けられる例を示す。
【００１８】
したがって、第２の長尺光源部１０２には、複数の光源１５が、長尺方向の両端部を除いては第１の間隔Ａで長尺方向に等間隔に並べて設けられる。そして、長尺方向の両端部においては、複数の光源１５が、第１の間隔Ａよりも小さい第２の間隔Ｂで長尺方向に並べて設けられる。また、第２の長尺光源部１０２の長尺方向の一方の端部と他方の端部とで、第２の間隔Ｂで設けられる光源１５の数が相違する。
【００１９】
図１に示すように、第１の長尺光源部１０１と第２の長尺光源部１０２とで、照明装置１の長尺方向の同じ側の端部に位置している間隔が第２の間隔Ｂである光源１５の数は、互いに相違する。これに対し、第１の長尺光源部１０１と第２の長尺光源部１０２とで、照明装置１の長尺方向の反対側に位置している間隔が第２の間隔Ｂである光源１５の数は同じである。
【００２０】
このように、第１の長尺光源部１０１の第１の基板１１と第２の長尺光源部１０２の第４の基板１４は、第１の間隔Ａで設けられる光源１５の数および第２の間隔Ｂで設けられる光源１５の数が互いに同じである。また、第１の長尺光源部１０１の第２の基板１２と第２の長尺光源部１０２の第３の基板１３は、第１の間隔Ａで設けられる光源１５の数および第２の間隔Ｂで設けられる光源１５の数が互いに同じである。そして、第１の長尺光源部１０１の第１の基板１１と第２の長尺光源部１０２の第４の基板１４とは、照明装置１の長尺方向の互いに反対側に設けられる。同様に、第１の長尺光源部１０１の第２の基板１２と第２の長尺光源部１０２の第３の基板１３とは、照明装置１の長尺方向の互いに反対側に設けられる。このため、第１の長尺光源部１０１と第２の長尺光源部１０２とで、照明装置１の長尺方向の互いに反対側の端部に位置している第２の間隔Ｂの光源１５の数は同じであり、照明装置１の長尺方向の同じ側の端部に位置する第２の間隔Ｂの光源１５の数は相違する。
【００２１】
そして、図１に示すように、第１の長尺光源部１０１の第１の基板１１および第２の基板１２に第１の間隔Ａで設けられる光源１５と、第２の長尺光源部１０２の第３の基板１３および第４の基板１４に第１の間隔Ａで設けられる光源１５とは、照明装置１の長尺方向について互いにずれている。同様に、第１の長尺光源部１０１の第１の基板１１および第２の基板１２に第２の間隔Ｂで設けられる光源１５と、第２の長尺光源部１０２の第３の基板１３および第４の基板１４に第２の間隔Ｂで設けられる光源１５とは、照明装置１の長尺方向について互いにずれている。
【００２２】
以上説明したとおり、照明装置１の長尺方向の両端部に位置している光源１５どうしの間隔は、他の部分に位置している光源１５に比較して小さい。このため、長尺方向の端部における光量の低下を防止または抑制できる。また、第１の長尺光源部１０１と第２の長尺光源部１０２に含まれる光源１５どうしは、長尺方向に互いにずれている。したがって、光量の局所的な不均一（すなわち、光源１５が設けられる位置とそれ以外の位置における光量の差）を抑制することができる。
【００２３】
なお、第１の長尺光源部１０１の第１の基板１１と第２の長尺光源部１０２の第４の基板１４とで、第１の間隔Ａで設けられる光源１５の数は同じであり、第２の間隔Ｂで設けられる光源１５の数も同じである。また、第１の長尺光源部１０１の第２の基板１２と第２の長尺光源部１０２の第３の基板１３とで、第１の間隔Ａで設けられる光源１５の数は同じであり、第２の間隔Ｂで設けられる光源１５の数も同じである。そして、第１の間隔Ａは、第１〜第４の基板１１〜１４のいずれにおいても同じ大きさであり、第２の間隔Ｂも、第１〜第４の基板１１〜１４においても同じ大きさである。このような構成であれば、第１の長尺光源部１０１の第１の基板１１と第２の長尺光源部１０２の第４の基板１４の共通化を図ることができる。同様に、第１の長尺光源部１０１の第２の基板１２と第２の長尺光源部１０２の第３の基板１３の共通化を図ることができる。したがって、このような構成であれば、照明装置１を構成する基板の種類を削減できる。
【００２４】
さらに、第１の長尺光源部１０１の第１の基板１１と第２の長尺光源部１０２の第４の基板１４は、光源１５の配置の態様（数と間隔）以外の構成が同じであってもよい。同様に、第１の長尺光源部１０１の第２の基板１２と第２の長尺光源部１０２の第３の基板１３も、光源１５の配置の態様以外の構成が同じであってもよい。例えば、第１の長尺光源部１０１の第１の基板１１と第２の長尺光源部１０２の第４の基板１４のそれぞれに、外部から光源１５の発光のための電力の供給を受けるためのコネクタ１６（例えば電源に接続するためのコネクタ）が設けられる構成が適用できる。また、第１の長尺光源部１０１の第２の基板１２と第２の長尺光源部１０２の第３の基板１３は、それぞれＦＰＣなどの接続配線１７を介して第１の長尺光源部１０１の第１の基板１１と第２の長尺光源部１０２の第４の基板１４に電気的に接続される構成が適用できる。そして、第１の長尺光源部１０１の第２の基板１２と第２の長尺光源部１０２の第３の基板１３は、それぞれ第１の長尺光源部１０１の第１の基板１１と第２の長尺光源部１０２の第４の基板１４を介して電力の供給を受ける構成が適用できる。このように、第１の長尺光源部１０１の第１の基板１１と第２の長尺光源部１０２の第４の基板１４とで、コネクタ１６を有する構成が同じであってもよい。また、第１の長尺光源部１０１の第２の基板１２と第２の長尺光源部１０２の第３の基板１３とで、外部に接続するためのコネクタ１６を有さず、それぞれ他方の基板（第１の基板１１と第３の基板）と接続配線１７により接続される構成が同じであってもよい。
【００２５】
さらに、第１の長尺光源部１０１の第１の基板１１と第２の長尺光源部１０２の第４の基板１４は、形状や寸法や設けられている配線パターンが同じであってもよい。同様に、第１の長尺光源部１０１の第２の基板１２と第２の長尺光源部１０２の第３の基板１３についても、形状や寸法や設けられている配線パターンが同じであってもよい。
【００２６】
このような構成によれば、第１の長尺光源部１０１と第２の長尺光源部１０２とで、構成部品を同じにできる。そして、同じ構成部品からなる第１の長尺光源部１０１と第２の長尺光源部１０２とを、互いに反対向きで、かつ、それらに設けられる複数の光源１５どうしが長尺方向に互いにずれるように配置することにより、照明装置１を構成できる。したがって、照明装置１を構成する部品の種類の削減を図ることができる。
【００２７】
（センサユニット）
次に、センサユニット５の構成例について説明する。図２は、センサユニット５の構成例を模式的に示す図であり、読取対象物Ｐに向ける側から見た平面図である。図３は、図２のＩＩＩ−ＩＩＩ線矢視断面図である。図２と図３に示すように、センサユニット５は、本体フレーム５１と、照明装置１と、集光部材５２と、センサ基板５３と、本体カバー５４とを有する。なお、図２においては、本体カバー５４を省略してある。センサユニット５は全体として長尺形状を有している。センサユニット５の長尺方向が主走査方向となり、互いに直交する短尺方向のうちの一方が副走査方向となる。そして、センサユニット５は、読取対象物Ｐと副走査方向に相対的に移動しながら読取対象物Ｐに向けて光を出射し、読取対象物Ｐからの反射光を受光（検出）する。なお、読取対象物Ｐをセンサユニット５の短尺方向（副走査方向）に移動させながら受光する構成であってもよく、センサユニット５をその短尺方向に移動させながら受光する構成であってもよい。
【００２８】
センサユニット５には、前述の照明装置１が適用される。すなわち、センサユニット５に適用される照明装置１は、第１の長尺光源部１０１と第２の長尺光源部１０２とを有しており、さらに第１の長尺光源部１０１は第１の基板１１と第２の基板１２を有し、第２の長尺光源部１０２は第３の基板１３と第４の基板１４とを有する。
【００２９】
集光部材５２は、照明装置１が出射して読取対象物Ｐで反射した反射光を、後述するセンサ基板５３のラインセンサ５３１に集光する（結像させる）光学部材である。集光部材５２には、例えばロッドレンズアレイが適用できる。ロッドレンズアレイは、例えば、長尺方向に直線状に並べて設けられる複数の正立等倍型の結像素子（ロッドレンズ）を有している。なお、集光部材５２は、前記ロッドレンズアレイに限定されるものではない。集光部材５２は、読取対象物Ｐからの反射光を後述するセンサ基板５３のラインセンサ５３１に集光することができる光学部材であればよい。
【００３０】
センサ基板５３は、ラインセンサ５３１が設けられる基板である。センサ基板５３は、全体として長尺板状の形状を有しており、一方の表面にラインセンサ５３１が設けられる。ラインセンサ５３１は、長尺方向に直線状に並ぶ複数の光電変換素子（受光素子）を有する。例えば、ラインセンサ５３１は、複数の受光部が直線状に並べて設けられるフォトダイオードアレイを有し、複数のフォトダイオードアレイが長尺方向に並べて設けられることにより構成される。そして、ラインセンサ５３１は、照明装置１から出射して読取対象物Ｐで反射した反射光を受光し、受光した反射光に応じた電気信号を生成して出力する（すなわち光電変換する）。なお、ラインセンサ５３１は、フォトダイオードアレイが適用される構成に限定されない。ラインセンサ５３１は、長尺方向に直線状に並べて設けられる複数の光電変換素子を有する構成であればよい。
【００３１】
本体フレーム５１は、センサユニット５の筐体としての機能を有する部材である。本体フレーム５１の読取対象物Ｐに向ける側寄りには、照明装置１の第１の長尺光源部１０１と第２の長尺光源部１０２のそれぞれを収容できる長尺光源部収容部５１１と、集光部材５２を収容できる集光部材収容部５１２が設けられる。本体フレーム５１の読取対象物Ｐに向ける側とは反対側寄りには、センサ基板５３を収容できるセンサ基板収容部５１３が設けられる。なお、集光部材収容部５１２と長尺光源部収容部５１１は、集光部材５２の長尺方向と第１の長尺光源部１０１および第２の長尺光源部１０２の長尺方向が同じとなる（平行となる）向きで、集光部材５２と第１の長尺光源部１０１および第２の長尺光源部１０２を収容可能に構成される。また、図２と図３に示すように、集光部材収容部５１２は、短尺方向（副走査方向）について２つの長尺光源部収容部５１１どうしの間に設けられる。
【００３２】
本体カバー５４は、本体フレーム５１の読取対象物Ｐに向ける側に取付けられる部材である。本体カバー５４は、例えば透明で板状の部材が適用される。本体カバー５４は、本体フレーム５１の内部に収容される各装置や各部材を保護する機能や、本体フレーム５１の内部に塵埃などの異物が侵入することを抑制する機能を有する。また、読取対象物Ｐが紙葉類である場合には、読取対象物Ｐの表面を平面に保持する機能を有する。なお、センサユニット５が本体カバー５４を有さない構成であってもよい。
【００３３】
そして、図２に示すように、集光部材５２は集光部材収容部５１２に収容されて固定される。照明装置１の第１の長尺光源部１０１と第２の長尺光源部１０２とは、それぞれ長尺光源部収容部５１１に収容されて固定される。センサ基板５３は、センサ基板収容部５１３に収容されて固定される。この状態では、長尺方向視において、集光部材５２の光軸Ｌは読取対象物Ｐの通過経路Ｑと交差しており、集光部材５２の一方の焦点がこの交点Ｏ（実際には長尺方向に延伸する線である）またはその近傍に位置している。また、集光部材５２の光軸Ｌは、センサ基板５３のラインセンサ５３１を通過しており、集光部材５２の他方の焦点は、センサ基板５３のラインセンサ５３１の表面に位置している。
【００３４】
また、図２に示すように、長尺方向視において、照明装置１の第１の長尺光源部１０１と第２の長尺光源部１０２は、短尺方向（副走査方向）についえ、集光部材５２の互いに反対側に位置する。そして、第１の長尺光源部１０１と第２の長尺光源部１０２は、長尺方向視において、それぞれ出射光の光軸Ｍが集光部材５２の光軸Ｌに対して傾斜し、集光部材５２の光軸Ｌと読取対象物Ｐの通過経路Ｑとの交点Ｏまたはその近傍を通過するように設けられる。
【００３５】
このような構成であると、照明装置１の第１の長尺光源部１０１と第２の長尺光源部１０２のそれぞれからの出射光は、読取対象物Ｐの表面で反射し、集光部材５２を通過し、ラインセンサ５３１の表面に入射する。そして、ラインセンサ５３１は、入射した光量に応じて電気信号を生成する。したがって、センサユニット５は、読取対象物Ｐを読み取ることができる。
【００３６】
なお、図２に示すように、センサユニット５には、読取対象物Ｐを実際に読取る範囲（説明の便宜上、この範囲を「読取範囲Ｒ」と称する）が設定されている。そして、集光部材５２とラインセンサ５３１は、この読取範囲Ｒの全域に存在するとともに、それらの長尺方向の両端部がこの読取範囲Ｒの外側にも存在するように設けられる。そして、照明装置１の第１の長尺光源部１０１と第２の長尺光源部１０２は、読取範囲Ｒの全域に存在するように設けられる。具体的には、集光部材５２の光軸方向視において、照明装置１は、第１の長尺光源部１０１と第２の長尺光源部１０２の複数の光源１５が設けられる領域に読取範囲Ｒの全域を含むように設けられる。この場合、長尺方向について、読取範囲Ｒの全域が、複数の光源１５が第１の間隔Ａで設けられる領域に含まれる構成が適用できる。このような構成によれば、読取対象物Ｐに向けて出射する光量が長尺方向の両端部において低減することを抑制できる。さらに、長尺方向について、読取範囲Ｒの両端部が、複数の光源１５が第２の間隔Ｂで設けられる領域に含まれる構成であってもよい。前述のとおり、光源１５が第２の間隔Ｂで設けられる領域（すなわち、照明装置１の長尺方向の両端部）における光量の低下が抑制されるから、このような構成であっても、読取対象物Ｐに向けて出射する光量が長尺方向の両端部において低減することを抑制できる。
【００３７】
そして、前述のとおり、長尺方向の両端部における出射光量の低減を抑制できるから、本発明の実施形態に係るセンサユニット５によれば、長尺方向（主走査方向）の両端部において読取対象物Ｐに向けて出射する光量の低下を抑制できる。したがって、例えば長尺方向の両端部における読み取り精度の低下を抑制できる。
【００３８】
また、図２に示すように、集光部材５２は、短尺方向（副走査方向）について、照明装置１の第１の長尺光源部１０１と第２の長尺光源部１０２の間に位置している。そして、第１の長尺光源部１０１と第２の長尺光源部１０２の出射光の光軸Ｍは、長尺方向視において、集光部材５２の光軸Ｌに対して互いに反対向きに傾斜しており、集光部材５２の光軸Ｌと読取対象物Ｐの通過経路Ｑとの交点Ｏを通過している。このため、第１の長尺光源部１０１と第２の長尺光源部１０２とは、互いに異なる方向から読取対象物Ｐに光を出射する。特に、第１の長尺光源部１０１と第２の長尺光源部１０２とは、短尺方向（副走査方向）について、読取対象物Ｐに向けて互いに反対側から光を出射する。
【００３９】
この場合、長尺方向視において、第１の長尺光源部１０１と第２の長尺光源部１０２とは、集光部材５２の光軸Ｌに関して線対称（鏡面対称）に配置されることが好ましい。このような構成によれば、第１の長尺光源部１０１と第２の長尺光源部１０２とで、読取対象物Ｐの表面に入射する光の入射角の大きさを同じにできる。したがって、第１の長尺光源部１０１を用いる場合と第２の長尺光源部１０２を用いる場合とで、反射光の光量の変化を抑制できる。このため、例えば、センサユニット５と読取対象物Ｐを短尺方向の両方向に相対的に移動させて読取りを行う場合において、相対移動の方向を反転させた場合であっても、反射光の光量の変化を抑制できる。
【００４０】
さらに、このような構成によれば、長尺方向視において読取対象物Ｐの表面が通過経路Ｑに対して傾斜した場合であっても、ラインセンサ５３１に入射する光量の変化を抑制できる。すなわち、長尺方向視において、読取対象物Ｐの表面が通過経路Ｑに対して傾斜していない場合には、第１の長尺光源部１０１と第２の長尺光源部１０２の出射光の読取対象物Ｐの表面への入射角度の大きさは同じである。このため、この状態では、第１の長尺光源部１０１から出射されて読取対象物Ｐで反射しラインセンサ５３１に入射する光量と、第２の長尺光源部１０２から出射されて読取対象物Ｐで反射しラインセンサ５３１に入射する光量とは、ほぼ同じとなる。これに対して、読取対象物Ｐの表面が長尺方向視において通過経路Ｑに対して傾斜すると、第１の長尺光源部１０１と第２の長尺光源部１０２の出射光の読取対象物Ｐの表面への入射角度の大きさ（絶対値）は、一方が大きくなり他方が小さくなる。このため、この状態では、第１の長尺光源部１０１から出射されて読取対象物Ｐで反射しラインセンサ５３１に入射する光量と、第２の長尺光源部１０２から出射されて読取対象物Ｐで反射しラインセンサ５３１に入射する光量は、読取対象物Ｐの表面への入射角度の大きさ小さくなった一方のおいては多くなり、大きくなった一方においては少なくなる。したがって、全体としては、ラインセンサ５３１に入射する光量の変化が抑制される。このように、読取対象物Ｐの表面が通過経路Ｑに対して傾斜した場合であっても、ラインセンサ５３１に入射する光量の変化を抑制できる。
【００４１】
（実施例）
次に、実施例について説明する。図４は、実施例と比較例の照明装置１が適用されたセンサユニット５において、ラインセンサ５３１が出力する電気信号の電圧の長尺方向の分布を示すグラフである。横軸はラインセンサ５３１および照明装置１の長尺方向の位置を示す。なお、電気信号の電圧は、受光した光量に応じた値となり、出力電圧が同じであれば受光量が同じであることを意味する。本発明の実施例に係る照明装置１が適用されたセンサユニット５では、第２の間隔Ｂを第１の間隔Ａの１／２の大きさとした。また、第１の長尺光源部１０１と第２の長尺光源部１０２のそれぞれについて、長尺方向の一方の端部には第２の間隔Ｂで３つの光源１５が設けられ、他方の端部には第２の間隔Ｂで２つの光源１５が設けられる構成とした。これに対して、比較例の照明装置１が適用されたセンサユニット５は、第１の長尺光源部１０１と第２の長尺光源部１０２のいずれにおいても、長尺方向の全長にわたって第１の間隔Ａで光源１５が設けられている構成とした。なお、実施例と比較例とで、第１の間隔Ａの大きさは同じとした。
【００４２】
図４に示すように、実施例においては、照明装置１の長尺方向の両端部の出力電圧（受光量）とそれら以外の部分の出力電圧とに差が生じなかった。これに対して、比較例においては、照明装置１の長尺方向の両端部の出力電圧が局所的に低下していた。このように、本発明の実施例によれば、照明装置１の長尺方向の端部における光量の低下を防止する効果を奏することが確認された。
【００４３】
以上、本発明の各種実施形態について詳細に説明したが、前述の実施形態は、本発明を実施するにあたっての具体例を示したに過ぎない。本発明の技術的範囲は、前述の実施形態に限定されない。本発明は、その趣旨を逸脱しない範囲において、種々の変更が可能である。
【００４４】
例えば、前記実施形態では、照明装置がセンサユニットに適用される例を示したが、本発明の照明装置はセンサユニットに適用される照明装置に限定されるものではない。本発明の照明装置は、天井照明器具（たとえばシーリングライト）や電気スタンドなど、各種用途の照明装置に適用できる。
【産業上の利用可能性】
【００４５】
本発明は、照明装置とセンサユニットに好適な技術である。そして、本発明によれば、長尺方向の両端部における光量の低下を防止または抑制できる。
【符号の説明】
【００４６】
１：照明装置、１０１：第１の長尺光源部、１０２：第２の長尺光源部、１１：第１の基板、１２：第２の基板、１３：第３の基板、１４：第４の基板、１５：光源、１６：コネクタ、１７：接続配線、５：センサユニット、５１：本体フレーム、５１１：長尺光源部収容部、５１２：集光部材収容部、５１３：センサ基板収容部、５２：集光部材、５３：センサ基板、５３１：ラインセンサ、５４：本体カバー、Ｐ：読取対象物、Ａ：第１の間隔、Ｂ：第２の間隔、Ｏ：集光体の光軸と長尺光源部の光軸との交点（交線）Ｌ：集光体の光軸、Ｍ：長尺光源部の光軸、Ｑ：通過経路、Ｒ：読取範囲
【図１】
2018207234.tif 000003
【図２】
2018207234.tif 000004
【図３】
2018207234.tif 000005
【図４】
2018207234.tif 000006